(57)【要約】【課題】調理対象物を収容するビルトイン型の電子レンジ等の引出型の調理室を有する空冷式の電気調理器において、結露の発生を防止する電気調理器を提供する。【解決手段】電気調理器１は、調理室と一体となった引出型の開閉扉２０と、該開閉扉２０の上方に位置し、操作を受け付ける操作部３０とを備え、該操作部３０の内部には通風路が設けられてあり、内部を冷却した後の排気を操作部３０内へ送風し、操作部３０の下面に開設された排気口３３から、開閉扉２０の把持部２１の上面に対して送風する。【選択図】図３
2010190569.tif 000002
【特許請求の範囲】
【請求項１】
調理対象物を収容する調理室及び引出型の開閉扉を有する空冷式の電気調理器において、
前記開閉扉の上方に位置し、操作を受け付ける操作部とを備え、
電気調理器上部に設けられた通風路を通って送風される内部を冷却した後の排気を前記開閉扉上の奥側終端から手前側先端へ向けて排出するように排出口を前記奥側へ設けた
ことを特徴とする電気調理器。
【請求項２】
調理対象物を収容する調理室及び引出型の開閉扉を有する空冷式の電気調理器において、
前記開閉扉の上方に位置し、操作を受け付ける操作部と、
電気調理器上部に設けられた通風路を通って送風される内部を冷却した後の排気を前記操作部内部に入れる送風口と、
該送風口から入った排気を前記開閉扉上の奥側終端から手前側先端へ向けて、前記調理室から流出する気体と共に排出すべく、前記開閉扉の上面に対向する位置、かつ、前記操作部下面の内前記奥側終端に開設された排気口と
を備える電気調理器。
【発明の詳細な説明】
【技術分野】
【０００１】
本発明は、調理対象物を収容する調理室を有する空冷式の電気調理器に関し、特に結露を防止する電気調理器に関する。
【背景技術】
【０００２】
電子レンジ等の電気調理器が普及している（例えば特許文献１参照。）。電気調理器の形態の一つとして、調理室を開閉する引出型の開閉扉を備えるタイプがある。引出型の開閉扉を備える電気調理器では、開閉扉を引き出すことにより、調理室が開放され、調理室内に調理対象物を入れることが可能となり、また調理室内から調理後の調理対象物を取り出すことができる。
【０００３】
図６及び図７は、引出型の開閉扉を有する電気調理器の外観を示す斜視図であり、図６は、開閉扉を閉じた状態を示し、図７は、開閉扉を引き出した状態を示している。図中１００は、直方体状をなす電気調理器であり、電気調理器１００は、直方体状をなす筐体１１０を備え、ユーザが相対する筐体１１０の前面には、引出可能な開閉扉２００が配設されており、開閉扉２００の上部には、ドアハンドル等の把持部２１０が設けられている。
【０００４】
開閉扉２００の上方には、各種操作ボタン及び液晶パネルを有するコントロールパネル３１０が配設された操作部３００が有り、操作部３００は、筐体１１０に固着されている。操作部３００は、底面が直角三角形状の三角柱状をなし、底面の直角を構成する二辺の中の一の辺を含む一の側面は、筐体１１０に固着し、他の辺を含む他の側面は、開閉扉２００の上面に対向している。また操作部３００の底面の斜辺を含む側面には、コントロールパネル３１０が配設されており、ユーザはコントロールパネル３１０を用いて電気調理器１００を操作する。
【先行技術文献】
【特許文献】
【０００５】
【特許文献１】特開２００５−３３１６号公報
【発明の概要】
【発明が解決しようとする課題】
【０００６】
しかしながら調理対象物を調理後、開閉扉２００を引き出した場合に、調理室内で加熱された水蒸気が、開閉扉２００の上面に沿って調理室外へ流出し、流出した水蒸気は外気により冷やされるため開閉扉２００の上面で結露するという問題がある。具体的には、図６中矢印として示す様に、操作部３００の下面と、開閉扉２００の上面との間は、調理室内の水蒸気の通り道となるため、図７中斜線で示した開閉扉２００上面に結露が発生する。
【０００７】
本発明は斯かる事情に鑑みて成されたものであり、装置内部を冷却することで高温になった排気を、結露を防止すべき部位に送風することにより、結露を防止することが可能な電気調理器の提供を目的とする。
【課題を解決するための手段】
【０００８】
本発明に係る電気調理器は、調理対象物を収容する調理室及び引出型の開閉扉を有する空冷式の電気調理器において、前記開閉扉の上方に位置し、操作を受け付ける操作部とを備え、電気調理器上部に設けられた通風路を通って送風される内部を冷却した後の排気を前記開閉扉上の奥側終端から手前側先端へ向けて排出するように排出口を前記奥側へ設けたことを特徴とする。
【０００９】
本発明に係る電気調理器は、調理対象物を収容する調理室及び引出型の開閉扉を有する空冷式の電気調理器において、前記開閉扉の上方に位置し、操作を受け付ける操作部と、電気調理器上部に設けられた通風路を通って送風される内部を冷却した後の排気を前記操作部内部に入れる送風口と、該送風口から入った排気を前記開閉扉上の奥側終端から手前側先端へ向けて、前記調理室から流出する気体と共に排出すべく、前記開閉扉の上面に対向する位置、かつ、前記操作部下面の内前記奥側終端に開設された排気口とを備えることを特徴とする。
【００１０】
本発明では、装置内部を冷却することで高温になった排気を、調理室内の水蒸気が流出時に水蒸気と接する引出型の開閉扉の上面等の結露を防止すべき部位に送風することにより結露を防止することが可能である。
【発明の効果】
【００１１】
本発明に係る電気調理器は、調理室と一体となった引出型の開閉扉と、該開閉扉の上方に位置し、操作を受け付ける操作部とを備え、該操作部の内部には通風路が設けられてあり、内部を冷却した後の排気を操作部内へ送風し、操作部の下面に開設された排気口から、開閉扉の上面に対して送風する。
【００１２】
この構成により、本発明では、調理室内の水蒸気が流出した時に水蒸気と接する開閉扉の上面に対し、高温の排気が送風されるので、結露を防止することが可能である等、優れた効果を奏する。特に本発明の電気調理器をビルトインタイプの電子レンジに適用した場合には、排気を前方へ排出するので、デザイン上の制約及び備え付け場所の制約に対しても対応することが可能である等、優れた効果を奏する。
【図面の簡単な説明】
【００１３】
【図１】本発明の電気調理器の外観の一例を示す斜視図である。
【図２】本発明の電気調理器内後部の空気の流れの一例を模式的に示した断面図である。
【図３】本発明の電気調理器内上部及び前部の空気の流れの一例を示す模式図である。
【図４】本発明の電気調理器の操作部の外観の一例を示す斜視図である。
【図５】本発明の電気調理器の操作部の一例を示す透視図である。
【図６】引出型の開閉扉を有する電気調理器の外観を示す斜視図である。
【図７】引出型の開閉扉を有する電気調理器の外観を示す斜視図である。
【発明を実施するための形態】
【００１４】
以下、本発明をその実施の形態を示す図面に基づいて詳述する。
【００１５】
図１は、本発明の電気調理器の外観の一例を示す斜視図である。図１中１は、ビルトイン型キッチンとして用いられる直方体状の電子レンジ等の電気調理器であり、電気調理器１は、直方体状をなす筐体１０を備え、ユーザが相対する筐体１０の前面には、料理等の調理対象物を収容する調理室と一体化した引出可能な開閉扉２０が配設されており、開閉扉２０の上部には、ドアハンドル等の把持部２１が設けられている。そしてユーザは、把持部２１を把持して開閉扉２０を引き出すことにより、開閉扉２０と一体化した調理室が開放され、調理室内に、料理等の調理対象物を収容することが可能となる。
【００１６】
開閉扉２０の上方には、各種操作ボタン及び液晶パネルを有するコントロールパネル３１が配設されたアングルである操作部３０が有り、操作部３０は、筐体１０に固着されている。操作部３０は、底面が直角三角形状の三角柱状をなし、底面の直角を構成する二辺の中の一の辺を含む一の側面は、筐体１０に固着し、他の辺を含む他の側面は、開閉扉２０の上面に対向している。また操作部３０の底面の斜辺を含む側面には、コントロールパネル３１が配設されており、ユーザはコントロールパネル３１を用いて電気調理器１を操作する。
【００１７】
図２は、本発明の電気調理器１内後部の空気の流れの一例を模式的に示した断面図であり、電気調理器１内を後方からの視点で示している。電気調理器１内の上部には、調理室に収容された調理対象物をマイクロ波により加熱するマイクロ波発生装置としてマグネトロン１１が配設されており、電気調理器１内の下部には、マグネトロン１１への高電圧発生装置として高圧トランス１２が配設されている。なおマグネトロン１１、高圧トランス１２等の内部の電磁部品は、稼働中、電磁的な作用により高温になる。
【００１８】
また電気調理器１内には、高温となったマグネトロン１１、高圧トランス１２等の電磁部品を空冷する冷却ファン１３が配設されており、冷却ファン１３が稼動することにより、電気調理器１の下部の一側に設けられた吸気部から矢印Ｆ１にて示す様に吸気を行い、矢印Ｆ２及びＦ３にて示す様にマグネトロン１１及び高圧トランス１２に対して送風する。
【００１９】
マグネトロン１１及び高圧トランス１２を冷却して高温となった空気Ｆ４及びＦ５は、電気調理器１内の上部に開設された上部排気口１４ａ及び下部の他側に開設された下部排気口１４ｂへ排出され、電気調理器１内の上部に設けられている通風路１５を通って電気調理器１の前部へ排気Ｆ６として送風される。
【００２０】
図３は、本発明の電気調理器１内上部及び前部の空気の流れの一例を示す模式図であり、電気調理器１を斜め上方からの視点で示している。電気調理器１内の上部に設けられた通風路１５を通って電気調理器１の前部へ送風された排気Ｆ７は、操作部３０に開設された送風口３２から操作部３０の内部に入り、操作部３０の下面に開設された排気口３３から外部へ排出される。
【００２１】
操作部３０の排気口３３は、開閉扉２０の把持部２１に対向する位置に開設されており、排気口３３から排出された排気Ｆ７は、操作部３０と開閉扉２０の把持部２１との間を通って電気調理器１の前方へ排出される。
【００２２】
把持部２１は、斜線の矢印Ｖにて示す様に、調理室内の水蒸気が流出する時に、水蒸気と接する部位であるが、排気口３３から高温の排気が排出されるため結露には至らない。しかも電気調理器１の前方へ排気されるので、デザイン面及び備え付け場所の制約が大きいビルトイン型の電子レンジへ容易に適用することが可能である。
【００２３】
図４は、本発明の電気調理器１の操作部３０の外観の一例を示す斜視図である。図４に示す様に操作部３０は、底面が直角三角形状の三角柱状をなし、底面の斜辺を含む側面には、コントロールパネル３１が配設されている。
【００２４】
図５は、本発明の電気調理器１の操作部３０の一例を示す透視図である。図５は、図４と同様の視点で操作部３０内部の通風経路を模式的に示しており、筐体１０に固着される面には、長方形状の送風口３２が開設されており、開閉扉２０の把持部２１に対向する面には、長方形状の排気口３３が開設されている。図５に示す様に操作部３０の内部は、通風路となっており、筐体１０から送風された排気Ｆ８は、矢印として示す様に吸気口３２から操作部３０内に入り、排気口３３から排出される。
【００２５】
前記実施の形態では、排気を把持部に対して送風する形態を示したが、本発明はこれに限らず、結露の可能性がある他の部位に対して送風する形態であっても良い。
【００２６】
また前記実施の形態では、ビルトイン型の電子レンジに適用する形態を示したが、ビルトイン型以外の電子レンジであっても良く、更には電子レンジ以外の電気調理器であっても良い。
【符号の説明】
【００２７】
１  電気調理器
１０  筐体
２０  開閉扉
２１  把持部
３０  操作部
３１  コントロールパネル
３２  吸気口
３３  排気口
【図１】
2010190569.tif 000003
【図２】
2010190569.tif 000004
【図３】
2010190569.tif 000005
【図４】
2010190569.tif 000006
【図５】
2010190569.tif 000007
【図６】
2010190569.tif 000008
【図７】
2010190569.tif 000009